(57)【特許請求の範囲】
【請求項１】
板材を折り曲げてなる屋根構造において、屋根面を施工した際、雨水が流れる流れ方向と平行な方向に沿って帯状の折返し重合部が形成され、この折返し重合部は、屋根の厚み方向から見て少なくとも板材の一部が重なり合うように折り曲げられた形態であり、また屋根板の流れ方向の軒先側には、裏側に向けて折り曲げた折曲げ部が形成され、前記折返し重合部の折曲げ部の周辺には、流れ方向と略平行な突条部が局所的に形成されることを特徴とする屋根構造。
【請求項２】
請求項１に記載の屋根構造において、前記板材の裏側には、少なくとも一部に発泡断熱材が固着されることを特徴とする屋根構造。
【請求項３】
板材を折り曲げてなる屋根構造であって、屋根面を施工した際、雨水が流れる流れ方向と平行な方向に沿って帯状の折返し重合部が形成され、この折返し重合部は、屋根の厚み方向から見て少なくとも板材の一部が重なり合うよう折り曲げられた形態の屋根板の流れ方向の軒先側を裏側に向けて折り曲げるようにした屋根構造の成形方法であって、前記折返し重合部の端部をクランプ治具で挟み込んでその端部を裏側に折り曲げる第１の工程と、折返し重合部以外の箇所の端部を任意な手段にて折り曲げる第２の工程と、この第２の工程と同時かまたはその後に、前記折返し重合部の周辺に流れ方向と略平行な突状部を局所的に型成形により形成する第３の工程を備えたことを特徴とする屋根構造の成形方法。
【発明の詳細な説明】
【０００１】
【発明の属する技術分野】
本発明は、塑性変形可能な屋根材の屋根構造に関する。
【０００２】
【従来の技術】
従来、例えば金属製の屋根材や樹脂製の屋根材のように塑性変形可能な屋根材が知られており、このような屋根材には、横方向に隣接する屋根材と水密状に接合するため、例えば横方向端部にオス嵌合部やメス嵌合部を形成するのが一般的であり、このような嵌合部の嵌合構造は、板材を折り曲げて屋根の厚み方向から見て一部に板材が重なり合う部分を形成することで容易に嵌合が外れないようにするのが一般的である。
また、屋根材の意匠として、屋根材の中間部等に流れ方向に沿って帯状に板材が重なり合う部分を形成することもある。
【０００３】
【発明が解決しようとする課題】
ところで、このような屋根材を屋根面に施工する際、屋根面の勾配が急である場合は、屋根材を流れる雨水は軒先側の端部から水切れ良く落下し、特に問題は生じないものの、勾配がなだらかな場合は、気象条件等によって、例えば図５に示すように、屋根材５１の上面を流れる雨水が軒先側端部から裏面側に回り込んで逆流し、建物内に浸入して漏水事態を引き起こしやすくなるという問題があった。
【０００４】
このため、例えば軒先側端部の一部をラジアル加工等によって下方に折り曲げると、折曲げ端部の傾斜が急になり、緩勾配の屋根面に施工した場合でも水切れを良好にすることが出来るが、屋根の厚み方向から見て一部に板材の重なり部分があるような複雑形状の箇所を折り曲げると、折曲げ部周辺にシワが発生しやすくなり、見た目が悪くなるとともに、このシワが例えば下方に窪むような形態であると、雨水が窪みに溜まり易くなる等の不具合があった。
【０００５】
そこで本発明は、厚み方向から見て重なり部分が生じるような複雑形状の箇所が存在する屋根材を折り曲げる際、複雑形状の折曲げ箇所の周辺に雨水の排水を阻害するシワが発生するのを防止することを目的とする。
【０００６】
【課題を解決するための手段】
上記目的を達成するため本発明は、雨水が流れる流れ方向と平行な方向に沿って帯状の折返し重合部が形成され、この折返し重合部は、屋根の厚み方向から見て少なくとも板材の一部が重なり合うように折り曲げられた形態にされる屋根板の流れ方向の軒先側に、裏側に向けて折り曲げた折曲げ部を形成し、折返し重合部の折曲げ部の周辺には、流れ方向と略平行な突条部を局所的に形成するようにした。
【０００７】
このように、折返し重合部の折曲げ箇所の周辺に突条部を形成すれば、突条部がひずみ取りの作用を果たし、折曲げ部周辺にシワ等が発生するのを抑制出来る。
ここで、屋根板としては、波型状や平板状の形態のもの等が適用出来、またここでいう突条部とは、板材の上面側に突出する帯状の突起をいう。
そして、突条部の長さ方向を雨水の流れ方向に沿わせることにより、雨水の円滑な流れを阻害しないようにする。
【０００８】
また請求項２では、板材の裏側の少なくとも一部に、発泡断熱材を固着するようにした。
【０００９】
このように板材の裏側に断熱材を設ければ、建物等内部の居住性が良くなり好適である。
尚、断熱材の素材等は任意であり、例えば硬質ポリウレタンフォームやその他の発泡樹脂等が適用可能であり、また板材への固着手段等は任意である。
【００１０】
そして請求項３では、板材を折り曲げてなる屋根構造であって、屋根面を施工した際、雨水が流れる流れ方向と平行な方向に沿って帯状の折返し重合部が形成され、この折返し重合部は、屋根の厚み方向から見て少なくとも板材の一部が重なり合うよう折り曲げられた形態の屋根板の流れ方向の軒先側を裏側に向けて折り曲げるようにした屋根構造の成形方法において、第１の工程で、折返し重合部の端部をクランプ治具で挟み込んでその端部を裏側に折り曲げ、第２の工程で、折返し重合部以外の箇所の端部を任意な手段にて折り曲げ、第３の工程で、前記第２の工程と同時かまたはその後に、折返し重合部の周辺に流れ方向と略平行な突状部を局所的に型成形により形成するようにした。
【００１１】
このように、最初に折返し重合部の端部をクランプ治具で折り曲げた後、その他の部分の端部を折り曲げ、この折返し端部を除く箇所の折曲げと同時かまたはその後に、折返し重合部の周辺に突条部を型成形により形成すれば、屋根材のシワを抑制することが出来、綺麗に折り曲げ出来るとともに容易に成形出来る。
【００１２】
【発明の実施の形態】
本発明の実施の形態について添付した図面に基づき説明する。
ここで図１は本発明に係る屋根構造の一例を示す部分斜視図、図２は図１のＡ−Ａ線断面図、図３は折返し重合部をオスメス嵌合構造にした場合の説明図、図４は屋根構造の他の構成例の説明図である。
【００１３】
本発明に係る屋根構造及びその成形方法は、塑性変形可能な板材を折り曲げた波型状または平板状等の屋根板２を使用した屋根構造１の軒先側端部での水切りを良好にし、建物内への漏水等の不具合を簡単な折曲げ構造の採用により防止出来るようにしたものであり、まず、平板状の屋根板２の例から説明すると、図１に示すように、金属板から成形される屋根板２と、場合によっては図２に示すように、屋根板２の裏側に固着される断熱材３を備えており、この屋根板２の端部には、隣接する屋根板２に水密状に接合可能にするための折返し重合部４が雨水の流れ方向に沿って帯状に形成されている。
【００１４】
そしてこの折返し重合部４の形状は、図３にも示すように、隣接する屋根板２のオス型嵌合部ｏに対して強固に連結出来るようなメス型嵌合部ｍとされ、上辺から斜めに垂下する傾斜部ｅがあり厚み方向から見て少なくとも板材の一部が重なり合うように折り曲げられた形態にされている。
そして、例えば一枚の屋根板２に対し、一端側端部にオス型嵌合部ｏが形成され、他端側端部のメス型嵌合部ｍが形成されている。
【００１５】
ところで、この屋根板２の雨水の流れ方向の軒先側端部には、折曲げ部ｒが形成され、この折曲げ部ｒを基点に端部が裏側に向けて折り曲げられている。
このため、屋根板２の上面を流れる雨水は、屋根面が緩勾配であっても折り曲げ端部の急勾配により円滑に下方に落下し、水切れ良く排水することが出来るが、折返し重合部４を折り曲げる際、折曲げ部ｒ周辺にシワが発生しやすくなる。
【００１６】
そしてこのシワは、折返し重合部４を無理に折り曲げるため周辺に歪みが発生して生じるものであり、その位置や形状等は、折曲げ部ｒの折曲げ角度や、屋根板２の板厚等によって異なるが、例えば上面が窪むような形態であれば雨水が溜まり易くなる等の不具合がある。
【００１７】
そこで、本発明では、折返し重合部４の折曲げ部ｒの周辺に、流れ方向に沿った突条部５を局所的に形成するようにしている。
【００１８】
この際、ここでいう突条部５とは、上面側に向けて突出する帯状の突起であり、長手方向を雨水の流れ方向に沿わせることで、雨水等が溜まりにくく、また雨水の円滑な流れが阻害されないようにしている。
【００１９】
次に、以上のような屋根構造の成形方法について説明する。
まず、屋根板の折返し重合部４の端部を不図示のクランプ治具で挟み込み、折曲げ部ｒから下方に折り曲げる。この際、折返し重合部４が複数存在する場合は、すべての折返し重合部４を一定の長さの箇所で折り曲げる。
因みに、このときの屋根板の裏側には、硬質ウレタンフォーム等の断熱材３がその一部に固着されており、実施例では軒先側端部の裏側と折返し重合部４のメス型嵌合部ｍ裏側を除く部分に一体化されている。
【００２０】
次いで、折返し重合部４を除いた流れ方向の端部を折り曲げる。
この折曲げは、ベンダー加工やラジアル加工やプレス加工等の任意の手段を適用して折り曲げることが出来、折返し重合部４の曲げ角度と同じ角度で且つ同じ長さの箇所で折り曲げる。
【００２１】
以上のような加工によって、流れ方向の端部が折曲げ部ｒを介して下方に折り曲げられるが、折返し重合部４の端部を折り曲げる際、折曲げ部ｒの周辺にシワが発生するため、このシワを無くすため、例えば図１に示すような周辺部分に一ヶ所または数カ所の突条部５を形成する。
【００２２】
この突条部５の成形は、プレス加工やスタンピング加工やその他の任意の加工法で加工するようにし、例えば前記工程中に、折返し重合部４を除く部分の端部をプレス加工で成形するような際は、その折り曲げ加工と同時に成形するようにしても良く、またはその後に加工するようにしても良い。
【００２３】
この際、シワ等の発生位置や、これを抑制するための突条部５の位置を予め理論的に求めるのは困難であるため、出来れば数回テスト試験等を繰り返してシワの発生を抑制するのに効果的で且つ雨水の流れを阻害しない最適の突条部５の位置や数等を把握するようにすることが好ましい。
【００２４】
以上のような加工方法により、屋根板２の端部全般を一定の角度で綺麗に折り曲げることが出来、また雨水の流れが阻害されるような不具合を防止することが出来る。
【００２５】
尚、以上のような方法で成形した屋根構造１を３／１００の勾配で施工し、１００ミリの雨を１時間にわたって降らせたところ、雨水は良好に排水され、散水終了後も屋根面に雨水が残ることがなかった。
これに対して、軒先側端部を折曲げるだけで突条部５を成形しなかった屋根構造に同様の条件で散水し試験したところ、排水が遅く、また散水終了後に屋根面の一部に雨水が残った。
また、断熱材３によって建物等内部の居住性は良好であった。
以上の結果から本発明の有効性が確認された。
【００２６】
また、屋根板２の素材としては、例えば鉄板、アルミ板、ステンレス板、銅板等の金属素材に特に有効である。
【００２７】
次に、図４に示すように、屋根板２が波型状の例についてもその成形方法等は前記例と同様であり、この際、波型形状等は図示したサインカーブ状の断面形状でなく、直線的に折返されるような波型、或いは台形波形の繰り返しのような波型、或いはその他の波型でも良いが、一般的に折返し重合部４の歪みの影響が、隣接する一山程度までの領域内にまで及ぶと考えられるため、この領域内に突条部５を形成するようにする。
【００２８】
また、折返し重合部４の位置は接合用のため屋根材２の横方向端部に嵌合用として形成されているものだけでなく、中間部分に例えば意匠的に形成されているような場合等にも適用出来、またその数等も任意である。
更に、折返し重合部４の形状としては、平面視方向に板材の少なくとも一部が重なり合う形態であれば、具体的形状等は任意である。
【００２９】
また、図４のように波型の屋根板２の山部と谷部の端部を一体に一方側に折り曲げることが出来るのは、比較的波長が長く平坦状に近い波型であり、波のサイクルが細かい波型になると、山部と谷部を同方向に折り曲げるのが難しくなり、この場合は折り曲げようとする端部の山部を谷部とし、谷部を山部としてそれぞれ反転させることにより、実質的に山部と谷部の端部を同方向に折り曲げるような構造にすることが出来るが、そのような場合にも適用出来る。
【００３０】
尚、本発明は以上のような実施形態に限定されるものではない。本発明の特許請求の範囲に記載した事項と実質的に同一の構成を有し、同一の作用効果を奏するものは本発明の技術的範囲に属する。
例えば図１及び図４で図示した突条部４の形状等は例示である。
【００３１】
【発明の効果】
以上のように本発明に係る屋根構造は、雨水の流れ方向と平行な方向に沿って帯状の折返し重合部が形成される屋根材の端部に折曲げ部を形成するにあたり、折返し重合部の折曲げ部の周辺に、流れ方向と略平行な突条部を局所的に形成するようにしたため、折曲げ部周辺にシワ等が発生するのを抑制出来、雨水を円滑に排水させることが出来る。
そして請求項２のように、板材の裏側に発泡断熱材を固着すれば、建物等内部の居住性が良くなり好適である。
そして請求項３のような方法で成形すれば、容易に成形することが出来る。
【図面の簡単な説明】
【図１】本発明に係る屋根構造の一例を示す部分斜視図
【図２】図１のＡ−Ａ線断面図
【図３】折返し重合部をオスメス嵌合構造にした場合の説明図
【図４】屋根構造の他の構成例の説明図
【図５】従来の不具合状態を説明する説明図
【符号の説明】
１…屋根構造、２…屋根板、３…断熱材、４…折返し重合部、５…突条部、ｒ…折曲げ部。
【図１】
0004305889.tif 000002
【図２】
0004305889.tif 000003
【図３】
0004305889.tif 000004
【図４】
0004305889.tif 000005
【図５】
0004305889.tif 000006